(57)【要約】【課題】外部からの衝撃力を吸収し収納している製本物への衝撃力の伝達を抑制し製本物の破損を防止する製本物収納ケースを提供する。【解決手段】平面視して長方形又は正方形の裏表紙１１を中心に左右に第１、第２の側表紙１２、１３を介して第１、第２の表表紙１４、１５が折り曲げ可能に設けられた厚紙部材１６と、裏表紙１１の上に固着され裏表紙１１と同一サイズ又は０ｍｍを超え８ｍｍ以下の範囲で小さなサイズの底板１７及び底板１７の周囲に立設された周壁１８を有する浅底箱１９と、浅底箱１９の内側周囲に配置され、内側には製本物２０が嵌め込まれる収容部２１を備えた弾力性を有する発泡材製の緩衝枠体２２とを有し、収容部２１の外側に位置する緩衝枠体２２の内側には製本物２０の取出し用の切り欠き２３が設けられ、第１、第２の表表紙１４、１５は、浅底箱１９の上部を左右から交互に覆っている。【選択図】図１
0003148041.tif 000002
【実用新案登録請求の範囲】
【請求項１】
平面視して長方形又は正方形の裏表紙を中心に左右に第１、第２の側表紙を介して第１、第２の表表紙が折り曲げ可能に設けられた厚紙部材と、
前記裏表紙の上に固着され該裏表紙と同一のサイズ又は該裏表紙より０ｍｍを超え８ｍｍ以下の範囲で小さなサイズの底板及び該底板の周囲に立設された周壁を有する浅底箱と、
前記浅底箱の内側周囲に配置され、内側には製本物が嵌め込まれる収容部を備えた弾力性を有する発泡材製の緩衝枠体とを有し、
前記収容部の外側に位置する前記緩衝枠体の内側には前記製本物の取出し用の切り欠きが設けられ、
前記第１、第２の表表紙は、前記浅底箱の上部を左右から交互に覆うことを特徴とする製本物収納ケース。
【請求項２】
請求項１記載の製本物収納ケースにおいて、前記第２の表表紙は、前記裏表紙の大きさと同一となって、前記第１の表表紙は前記第２の表表紙より幅狭となって、収納時は、前記第１の表表紙の上に前記第２の表表紙が載ることを特徴とする製本物収納ケース。
【請求項３】
請求項１及び２のいずれか１項に記載の製本物収納ケースにおいて、前記緩衝枠体は一体物であり、前記製本物は前記収容部に０．５ｍｍ以上５ｍｍ以下の隙間を有して嵌入することを特徴とする製本物収納ケース。
【請求項４】
請求項１〜３のいずれか１項に記載の製本物収納ケースにおいて、前記緩衝枠体の高さは、収納された前記製本物の高さより１〜２０ｍｍ高いことを特徴とする製本物収納ケース。
【請求項５】
請求項１〜４のいずれか１項に記載の製本物収納ケースにおいて、前記浅底箱の底板には、記録媒体を収納する１又は複数の空間部が設けられていることを特徴とする製本物収納ケース。
【請求項６】
請求項５記載の製本物収納ケースにおいて、前記底板は、前記浅底箱の周壁に連接する下底板部と、該下底板部の上にある中底板部と、該中底板部の上にある緩衝材からなる上底板部とからなって、該上底板部に前記空間部が形成されていることを特徴とする製本物収納ケース。
【請求項７】
請求項６記載の製本物収納ケースにおいて、前記記録媒体は光ディスクであって、前記上底板部に形成される前記空間部の内縁には該光ディスクの取出し用の切り欠きが設けられていることを特徴とする製本物収納ケース。
【請求項８】
請求項７記載の製本物収納ケースにおいて、前記空間部の中央には前記光ディスクの固定用突起が設けられていることを特徴とする製本物収納ケース。
【請求項９】
請求項６記載の製本物収納ケースにおいて、前記記録媒体は光ディスクであって、同一直径の３つの前記空間部が接して配置され、該３つの空間部によって囲まれる部分で前記３つの空間部が連接していることを特徴とする製本物収納ケース。
【請求項１０】
請求項１〜４のいずれか１項に記載の製本物収納ケースにおいて、前記浅底箱の底板には、冊子を収納する空間部が設けられていることを特徴とする製本物収納ケース。
【請求項１１】
請求項１〜４いずれか１項に記載の製本物収納ケースにおいて、前記緩衝枠体及び該緩衝枠体の内側にある前記底板は、布で覆われていることを特徴とする製本物収納ケース。
【考案の詳細な説明】
【技術分野】
【０００１】
本考案は、アルバムや書籍等の製本物を収納して保護する製本物収納ケースに関する。
【背景技術】
【０００２】
例えば、アルバムを収納して保護するケースとして、アルバムの装入又は引出し用の開口が設けられた紙製又は軟質樹脂製の箱型容器が提案されている（例えば、特許文献１、２参照）。また、型抜きした厚紙を折り畳んで内部に書籍とそれに付属するコンピュータ用の記録ディスクを収納する空間部がそれぞれ形成された記録ディスク付ブックケースが提案されている（例えば、特許文献３参照）。
【０００３】
【特許文献１】実公平６−０１２９４９号公報
【特許文献２】実開平６−０５０８７９号公報
【特許文献３】特開２００１−０３１１７０号公報
【考案の開示】
【考案が解決しようとする課題】
【０００４】
しかしながら、特許文献１及び２においては、アルバムとケースの間、特許文献３においては、書籍と書籍を収納する空間部の内面との間には、アルバムや書籍の装入及び引出しが容易に行えるように若干の隙間が設けられているだけなので、アルバム、書籍がケースに収納されている状態で外部からケースに衝撃が加わると、アルバム、書籍に衝撃力が容易に伝達する。そして、アルバムや書籍は、四方の側面部（周壁部）が衝撃に特に弱いという特性を有するので、ケースの側面部に外部から衝撃力が加わると、アルバムや書籍は容易に破損するという問題がある。
【０００５】
本考案はかかる事情に鑑みてなされたもので、外部から加わる衝撃力を吸収して収納されている製本物に衝撃力が伝達されるのを抑制し製本物の破損を防止できる製本物収納ケースを提供することを目的とする。
【課題を解決するための手段】
【０００６】
前記目的に沿う本考案に係る製本物収納ケースは、平面視して長方形又は正方形の裏表紙を中心に左右に第１、第２の側表紙を介して第１、第２の表表紙が折り曲げ可能に設けられた厚紙部材と、
前記裏表紙の上に固着され該裏表紙と同一のサイズ又は該裏表紙より０ｍｍを超え８ｍｍ以下の範囲で小さなサイズの底板及び該底板の周囲に立設された周壁を有する浅底箱と、
前記浅底箱の内側周囲に配置され、内側には製本物が嵌め込まれる収容部を備えた弾力性を有する発泡材製の緩衝枠体とを有し、
前記収容部の外側に位置する前記緩衝枠体の内側には前記製本物の取出し用の切り欠きが設けられ、
前記第１、第２の表表紙は、前記浅底箱の上部を左右から交互に覆っている。
【０００７】
本考案に係る製本物収納ケースにおいて、前記第２の表表紙は、前記裏表紙の大きさと同一となって、前記第１の表表紙は前記第２の表表紙より幅狭となって、収納時は、前記第１の表表紙の上に前記第２の表表紙が載ることが好ましい。
ここで、前記緩衝枠体は一体物であり、前記製本物は前記収容部に０．５ｍｍ以上５ｍｍ以下の隙間を有して嵌入することが好ましい。
また、前記緩衝枠体の高さは、収納された前記製本物の高さより１〜２０ｍｍ高いことが好ましい。
【０００８】
本考案に係る製本物収納ケースにおいて、前記浅底箱の底板には、記録媒体を収納する１又は複数の空間部を設けることができる。
そして、前記底板は、前記浅底箱の周壁に連接する下底板部と、該下底板部の上にある中底板部と、該中底板部の上にある緩衝材からなる上底板部とからなって、該上底板部に前記空間部を形成することができる。
ここで、前記記録媒体は光ディスクであって、前記上底板部に形成される前記空間部の内縁には該光ディスクの取出し用の切り欠きが設けられていることが好ましい。
そして、前記空間部の中央には前記光ディスクの固定用突起が設けられていることが好ましい。
また、前記記録媒体は光ディスクであって、同一直径の３つの前記空間部が接して配置され、該３つの空間部によって囲まれる部分で前記３つの空間部が連接していてもよい。
更に、前記浅底箱の底板には、冊子を収納する空間部を設けることもできる。
【０００９】
本考案に係る製本物収納ケースにおいて、前記緩衝枠体及び該緩衝枠体の内側にある前記底板は、布で覆うことができる。
【考案の効果】
【００１０】
本考案に係る製本物収納ケースにおいては、弾力性を有する発泡材製の緩衝枠体の内側に設けられた収容部に製本物が嵌め込まれるので、製本物収納ケースに外部から衝撃力が加わった場合、衝撃力は周壁を介して緩衝枠体に伝達し周壁及び緩衝枠体を変形又は破損することで減衰し、製本物には衝撃力が作用しない。このため、製本物の破損を防止できる。また、製本物は、収容部に嵌め込まれた状態なので、製本物が単にケース内に収容されている状態と比較して、高級感が得られる。更に、緩衝枠体の内側には製本物の取出し用の切り欠きが設けられているので、例えば、切り欠き内に指を挿入して製本物の端部に掛止させることができ、収容部に嵌め込まれた製本物を容易に引出すことができる。
【００１１】
本考案に係る製本物収納ケースにおいて、第２の表表紙が、裏表紙の大きさと同一となって、第１の表表紙は第２の表表紙より幅狭となって、収納時は、第１の表表紙の上に第２の表表紙が載る場合、収容部に嵌め込まれた製本物の表側を包み込むように覆うことができると共に、第１、第２の表表紙を左右に開いて包み込まれた製本物を容易に露出させることができる。
【００１２】
本考案に係る製本物収納ケースにおいて、緩衝枠体が一体物である場合、緩衝枠体の剛性が大きくなって外力に対する抵抗性が向上する。また、収容部の製本物の周囲には０．５ｍｍ以上５ｍｍ以下の隙間が形成されている場合、収容部への製本物の嵌め込み、収容部からの製本物の取出しが容易にできる。
【００１３】
本考案に係る製本物収納ケースにおいて、緩衝枠体の高さが、収納された製本物の高さより１〜２０ｍｍ高い場合、収納された製本物の上面の上方に隙間が形成されて、製本物に衝撃力が加わるのを防止できる。
【００１４】
本考案に係る製本物収納ケースにおいて、浅底箱の底板に、記録媒体を収納する１又は複数の空間部が設けられている場合、製本物と記録媒体を同時に製本物収納ケース内に収容することができる。
【００１５】
本考案に係る製本物収納ケースにおいて、底板が、浅底箱の周壁に連接する下底板部と、下底板部の上にある中底板部と、中底板部の上にある緩衝材からなる上底板部とからなって、上底板部に空間部が形成されている場合、製本物収納ケースに外部から衝撃力が加わっても衝撃力は緩衝枠体及び上底板部で減衰し、記録媒体には衝撃力が作用しない。
【００１６】
本考案に係る製本物収納ケースにおいて、記録媒体が光ディスクであって、上底板部に形成される空間部の内縁には光ディスクの取出し用の切り欠きが設けられている場合、例えば、切り欠き内に指を挿入して光ディスクの端部を掴むことができ、光ディスクを空間部から容易に引出すことができる。
【００１７】
本考案に係る製本物収納ケースにおいて、空間部の中央に光ディスクの固定用突起が設けられている場合、空間部に光ディスクを確実に固定することができる。
【００１８】
本考案に係る製本物収納ケースにおいて、記録媒体が光ディスクであって、同一直径の３つの空間部が接して配置され、３つの空間部によって囲まれる部分で３つの空間部が連接している場合、３つの空間部によって囲まれる部分に指を挿入して選択した光ディスクの端部を掴むことができ、各光ディスクを空間部から容易に引出すことができる。
【００１９】
本考案に係る製本物収納ケースにおいて、浅底箱の底板に、冊子を収納する空間部が設けられている場合、例えば製本物説明用の冊子を、製本物と同時に製本物収納ケース内に収容することができる。
【００２０】
本考案に係る製本物収納ケースにおいて、緩衝枠体及び緩衝枠体の内側にある底板が、布で覆われている場合、装丁において高級感を与えることができる。
【考案を実施するための最良の形態】
【００２１】
続いて、添付した図面を参照しつつ、本考案を具体化した実施の形態につき説明し、本考案の理解に供する。
ここで、図１は本考案の第１の実施の形態に係る製本物収納ケースの展開斜視図、図２は第１の変形例に係る空間部が形成された底板の斜視図、図３は第２の変形例に係る空間部が形成された底板の斜視図、図４は第３の変形例に係る空間部が形成された底板の斜視図、図５は第４の変形例に係る空間部が形成された底板の斜視図、図６は本考案の第２の実施の形態に係る製本物収納ケースの展開斜視図である。
【００２２】
図１に示すように、本考案の第１の実施の形態に係る製本物収納ケース１０は、平面視して長方形又は正方形の裏表紙１１を中心に左右に第１、第２の側表紙１２、１３を介して第１、第２の表表紙１４、１５が折り曲げ可能に設けられた厚紙部材１６と、裏表紙１１の上に固着され裏表紙１１より０ｍｍを超え８ｍｍ以下の範囲で小さなサイズの底板１７及び底板１７の周囲に立設された周壁１８を有する浅底箱１９と、浅底箱１９の内側周囲に配置され、内側には製本物の一例であるアルバム２０が嵌め込まれる収容部２１を備えた弾力性を有する発泡材（例えば、発泡ポリウレタン）製の緩衝枠体２２とを有し、収容部２１の外側に位置する緩衝枠体２２の内側にはアルバム２０の取出し用の切り欠き２３が設けられ、第１、第２の表表紙１４、１５は、浅底箱１９の上部を左右から交互に覆っている。
【００２３】
ここで、厚紙部材１６は一体物であって、芯材となる厚みが２〜５ｍｍの厚紙と、厚紙の表、裏面及び側面を覆う化粧用のカバー紙（印刷を施した紙（印刷物）を含む）又はラップ用フィルムから形成されている。また、浅底箱１９は、芯材となる厚みが１〜４ｍｍの厚紙と、厚紙の表、裏面及び側面を覆う化粧用のカバー紙（印刷を施した紙（印刷物）を含む）又はラップ用フィルムから形成されている。そして、第２の表表紙１５は、裏表紙１１の大きさと同一となって、第１の表表紙１４は第２の表表紙１５より幅狭となって、収納時は、第１の表表紙１４の上に第２の表表紙１５が載っている。
【００２４】
緩衝枠体２２は一体物であり、周壁１８の内側に嵌入され、底板１７の上面及び周壁１８の内周面に接着剤を介して貼着されている。また、収容部２１は、平面視してアルバム２０より大きな相似形であって、アルバム２０は収容部２１に、例えば０．５ｍｍ以上５ｍｍ以下の隙間を有して嵌入する。少なくとも０．５ｍｍの隙間を設けることで、アルバム２０の一端部を収容部２１に容易に装入することができる。また、隙間が５ｍｍを超えると嵌め込んだアルバム２０の収容部２１内での片寄りが顕著となって見栄えが悪くなる。更に、緩衝枠体２２の高さは、収納されたアルバム２０の高さより１〜２０ｍｍ高くなっている。少なくとも１ｍｍ高くすることで、第１、第２の表表紙１４、１５に衝撃力が加わって第１、第２の表表紙１４、１５を撓ませても、アルバム２０の上面に接触するのを抑制できる。また、緩衝枠体２２の高さを、収納されたアルバム２０の高さより２０ｍｍを超えない範囲とすることで、アルバム２０が薄い場合に製本物収納ケース１０が不要に厚くなるのを防止できる。
なお、本実施の形態において、浅底箱１９の底板１７は平坦で、嵌め込まれたアルバム２０の下面に当接するが、以下に示すように底板に収納用の空間部を設けることもできる。
【００２５】
図２に示す第１の変形例である底板１７ａには、コンピュータ用の記録媒体の一例である光ディスク２４（ＣＤ、ＤＶＤ）を、１枚収納する空間部２５が設けられている。そして、底板１７ａは、浅底箱１９の周壁１８に連接する下底板部２６と、下底板部２６の上にある中底板部２７と、中底板部２７の上に配置された弾力性を有する発泡材（例えば、発泡ポリウレタン）製の緩衝材からなる一体物の上底板部２８とからなって、上底板部２８に空間部２５が形成されている。ここで、下底板部２６及び中底板部２７はそれぞれ、例えば厚みが１〜１．５ｍｍの紙材で形成されている。
【００２６】
また、空間部２５に収納された光ディスク２４の周囲には０．５ｍｍ以上４ｍｍ以下の隙間が形成されている。これによって、光ディスク２４の空間部２５内への装入及び取出しが容易にできる。そして、上底板部２８に形成された空間部２５の内縁には光ディスク２４の取出し用の切り欠き２９が設けられている。更に、空間部２５の中央には、中底板部２７に立設された光ディスク２４の固定用突起３０が配置されている。なお、上底板部２８の高さは、空間部２５に装入された光ディスク２４の高さより１〜５ｍｍ高い。
【００２７】
図３に、第２の変形例に係る底板１７ｂを示す。底板１７ｂには、光ディスク２４をそれぞれ収納する空間部３１、３２が設けられている。空間部３１、３２は同一直径であって、上底板部３３に独立して形成されている。なお、上底板部３３の高さは、空間部３１、３２に装入された光ディスク２４の高さより１〜５ｍｍ高い。ここで、上底板部３３は、弾力性を有する発泡材（例えば、発泡ポリウレタン）で形成された一体物で、空間部３１、３２内に収納された光ディスク２４の周囲には０．５ｍｍ以上４ｍｍ以下の隙間が形成されている。そして、上底板部３３に形成された空間部３１、３２の内縁には光ディスク２４の取出し用の切り欠き３４がそれぞれ設けられている。これにより、切り欠き３４内に指を挿入して光ディスク２４の端部を掴むことができ、光ディスク２４を空間部３１、３２から容易に引出すことができる。更に、空間部３１、３２の中央には、中底板部２７に立設された光ディスク２４の固定用突起３５がそれぞれ配置されている。これにより、空間部３１、３２に光ディスク２４を確実に固定することができる。
【００２８】
図４に、第３の変形例に係る底板１７ｃを示す。底板１７ｃには、光ディスク２４を収納する３つの空間部３６、３７、３８が設けられている。空間部３６、３７、３８は同一直径であって、空間部３６、３７、３８は接して上底板部３９に配置され、しかも空間部３６、３７、３８によって囲まれる部分で空間部３６、３７、３８が連接している。これにより、空間部３６、３７、３８の連接箇所に指を挿入して選択した光ディスク２４の端部を掴むことができ、光ディスク２４を空間部３６、３７、３８から容易に引出すことができる。ここで、上底板部３９は、弾力性を有する発泡材（例えば、発泡ポリウレタン）で形成された一体物で、空間部３６、３７、３８内に収納された光ディスク２４の周囲には０．５ｍｍ以上４ｍｍ以下の隙間がそれぞれ形成されている。更に、空間部３６、３７、３８の中央には、中底板部２７に立設された光ディスク２４の固定用突起４０がそれぞれ配置されている。なお、上底板部３９の高さは、空間部３６、３７、３８に装入された光ディスク２４の高さより１〜５ｍｍ高い。
【００２９】
図５に、第４の変形例に係る底板１７ｄを示す。底板１７ｄの上底板部４１には、アルバム２０の説明用の冊子４２を収納する空間部４３を設けている。ここで、上底板部４１は、弾力性を有する発泡材（例えば、発泡ポリウレタン）で形成された一体物で、空間部４３内に収納された冊子４２の周囲には０．５ｍｍ以上４ｍｍ以下の隙間が形成されている。これによって、冊子４２の空間部４３への装入及び取出しが容易にできる。そして、上底板部４１に形成された空間部４３の内縁には冊子４２の取出し用の切り欠き４４が設けられている。これにより、例えば、切り欠き４４内に指を挿入して冊子４２の端部を掴むことができ、冊子４２を空間部４３から容易に引出すことができる。更に、上底板部４１の高さは、空間部４３に装入された冊子４２の高さより１〜５ｍｍ高い。これにより、空間部４３に装入された冊子４２の上方に隙間が形成されて、冊子４２に上方から衝撃力が加わるのを防止できる。
【００３０】
続いて、本考案の第１の実施の形態に係る製本物収納ケース１０の作用について説明する。
製本物収納ケース１０においては、弾力性を有する発泡材製の緩衝枠体２２の収容部２１内にアルバム２０が嵌め込まれるので、製本物収納ケース１０に外部から衝撃力が加わった場合、衝撃力は厚紙部材１６、浅底箱１９（底板１７、周壁１８）を介して緩衝枠体２２に伝達し、このとき、衝撃力は厚紙部材１６、浅底箱１９、及び緩衝枠体２２を変形、破損させることで減衰し、アルバム２０には衝撃力が作用しない。このため、アルバム２０の破損を防止できる。また、アルバム２０は、緩衝枠体２２の収容部２１内に嵌め込まれた状態なので、アルバム２０が単にケース内に収容されている状態と比較して、高級感が得られる。更に、緩衝枠体２２の内側にはアルバム２０の取出し用の切り欠き２３が設けられているので、例えば、切り欠き２３内に指を挿入してアルバム２０の端部に掛止させることができ、収容部２１に嵌め込まれたアルバム２０を容易に引出すことができる
【００３１】
そして、緩衝枠体２２が一体物であるので、緩衝枠体２２の枠体としての剛性が大きくなって外力に対する抵抗性が向上する。このため、緩衝枠体２２による衝撃力の減衰作用を向上できる。また、収容部２１内のアルバム２０の周囲には０．５ｍｍ以上５ｍｍ以下の隙間が形成されているので、収納部２１内へのアルバム２０の嵌め込み、取出しが容易にできる。更に、緩衝枠体２２の高さは、収納されたアルバム２０の高さより１〜２０ｍｍ高いので、浅底箱１９の上部を覆う第１、第２の表表紙１４、１５とアルバム２０の上面との間に隙間が形成されて、第１、第２の表表紙１４、１５に衝撃力が加わっても、アルバム２０に衝撃力が加わるのを防止できる。
【００３２】
浅底箱１９の底板が、光ディスク２４を収納する空間部２５が設けられた底板１７ａである場合、アルバム２０と光ディスク２４を同時に製本物収納ケース１０内に収容することができる。これによって、製本物収納ケース１０に外部から衝撃力が加わった場合、衝撃力は緩衝枠体２２及び底板１７ａの上底板部２８で減衰し光ディスク２４には作用しないようにできる。更に、上底板部２８が一体物であるので、板としての剛性が大きくなって衝撃力に対する抵抗性が向上する。また、空間部２５内の光ディスク２４の周囲には０．５ｍｍ以上４ｍｍ以下の隙間が形成されているので、空間部２５への光ディスク２４の装入、取出しが容易にできる。
【００３３】
更に、上底板部２８の高さは、空間部２５に装入された光ディスク２４の高さより１〜５ｍｍ高いので、空間部２５に装入された光ディスク２４の上方に隙間が形成されて、光ディスク２４に上方から衝撃力が加わるのを防止できる。また、空間部２５の縁部に空間部２５内に装入された光ディスク２４を取出す切り欠き２９が設けられているので、切り欠き２９内に指を挿入して光ディスク２４の端部を掴むことができ、光ディスク２４を空間部２５から容易に引出すことができる。そして、空間部２５の中央には、光ディスク２４の固定用突起３０が配置されているので、空間部２５内に光ディスク２４を確実に固定することができる。
【００３４】
底板１７ｂ、１７ｃ、１７ｄの場合も複数の光ディスク２４又は冊子４２をアルバム２０と共に収納でき、製本物収納ケース１０に外部から衝撃力が加わった場合、衝撃力は緩衝枠体２２及び底板１７ｂ、１７ｃ、１７ｄの上底板部３３、３９、４１で減衰し光ディスク２４又は冊子４２には作用しないようにできる。そして、上底板部３３、３９、４１が一体物であるので、板としての剛性が大きくなって衝撃力に対する抵抗性が向上する。また、収納された光ディスク２４又は冊子４２の周囲には０．５ｍｍ以上４ｍｍ以下の隙間が形成されているので、光ディスク２４又は冊子４２の装入、取出しが容易にできる。更に、上底板部３３、３９、４１の高さは、装入された光ディスク２４又は冊子４２の高さより１〜５ｍｍ高いので、装入された光ディスク２４又は冊子４２の上方に隙間が形成されて、光ディスク２４又は冊子４２に上方から衝撃力が加わるのを防止できる。
【００３５】
図６に示すように、本考案の第２の実施の形態に係る製本物収納ケース４５は、第１の実施の形態に係る製本物収納ケース１０と比較して、緩衝枠体２２及び緩衝枠体２２の内側にある底板１７が、布の一例であるサテン４６で覆われていることが特徴となっている。このため、製本物収納ケース１０と同一の構成部材には同一の符号を付して詳細な説明は省略する。緩衝枠体２２及び緩衝枠体２２の内側にある底板１７をサテン４６で覆うことで、装丁において高級感を与えることができる。
また、製本物収納ケース４５の作用は、第１の実施の形態に係る製本物収納ケース１０の作用と同一なので説明は省略する。
【００３６】
以上、本考案の実施の形態を説明したが、本考案は、この実施の形態に限定されるものではなく、考案の要旨を変更しない範囲での変更は可能であり、前記したそれぞれの実施の形態や変形例の一部又は全部を組み合わせて本考案の製本物収納ケースを構成する場合も本考案の権利範囲に含まれる。
例えば、浅底箱の底板を裏表紙と同一サイズとすることもできる。
また、コンピュータ用の記録媒体を光ディスクとしたが、メモリーカード（ＵＳＢメモリ、ＳＤメモリカード、メモリスティック）とすることもできる。
更に、第２の実施の形態の製本物収納ケースでは、緩衝枠体及び緩衝枠体の内側にある底板をサテンで覆ったが、光沢性を有する布であればサテンの代わりに使用できる。
なお、製本物収納ケースを、平面視して長方形又は正方形の底板の外周端部に周壁が立設され、周壁の内側に弾力性を有する発泡材製の緩衝枠体が設けられ、緩衝枠体の内側に製本物が嵌め込まれる収容部を形成する内装体と、該内装体が装入される装入口が一端側に形成された収納箱とで構成することも、また製本物収納ケースを、平面視して長方形又は正方形の底板の外周端部に周壁が立設され、周壁の内側に弾力性を有する発泡材製の緩衝枠体が設けられ、緩衝枠体の内側に製本物が嵌め込まれる収容部を形成する内装体と、該内装体に上方から被さる蓋とで構成することもできる。しかしながら、製本物収納ケースとしての製本物保護機能、製本物収納ケースとしての取扱い易さ、及び製本物収納ケースとしての見栄えを同時に満たすという点で、本考案の製本物収納ケースに利点がある。
なお、本考案の実施の形態においては、具体的な数字を用いて説明したが、本考案の要旨を変更しない範囲で数値を変更した場合も本考案の権利範囲に含まれる。
【図面の簡単な説明】
【００３７】
【図１】本考案の第１の実施の形態に係る製本物収納ケースの展開斜視図である。
【図２】第１の変形例に係る空間部が形成された底板の斜視図である。
【図３】第２の変形例に係る空間部が形成された底板の斜視図である。
【図４】第３の変形例に係る空間部が形成された底板の斜視図である。
【図５】第４の変形例に係る空間部が形成された底板の斜視図である。
【図６】本考案の第２の実施の形態に係る製本物収納ケースの展開斜視図である。
【符号の説明】
【００３８】
１０：製本物収納ケース、１１：裏表紙、１２：第１の側表紙、１３：第２の側表紙、１４：第１の表表紙、１５：第２の表表紙、１６：厚紙部材、１７、１７ａ、１７ｂ、１７ｃ、１７ｄ：底板、１８：周壁、１９：浅底箱、２０：アルバム、２１：収容部、２２：緩衝枠体、２３：切り欠き、２４：光ディスク、２５：空間部、２６：下底板部、２７：中底板部、２８：上底板部、２９：切り欠き、３０：固定用突起、３１、３２：空間部、３３：上底板部、３４：切り欠き、３５：固定用突起、３６、３７、３８：空間部、３９：上底板部、４０：固定用突起、４１：上底板部、４２：冊子、４３：空間部、４４：切り欠き、４５：製本物収納ケース、４６：サテン
【図１】
0003148041.tif 000003
【図２】
0003148041.tif 000004
【図３】
0003148041.tif 000005
【図４】
0003148041.tif 000006
【図５】
0003148041.tif 000007
【図６】
0003148041.tif 000008